(57)【要約】【課題】荷重による引出操作性の悪化を防止することができるチェストを提供する。【解決手段】チェスト本体のフレームを構成するフレーム構成部材２１を、長方形状の底面４１と、底面４１の両側縁に起立した側面４２と、底面４１の後縁に起立した背面４３とで構成する。底面４１に、前面側から背面４３側へ向けて延在する一対のレール４４，４４を離間して設け、各レール４４を、底面４１に一体的に凹設された溝で構成する。各レール４４は、引出収容部１４に収容された引出１３のローラを転動自在に支持する。【選択図】図３
0003124790.tif 000002
【実用新案登録請求の範囲】
【請求項１】
チェスト本体を構成するフレームに引出を収容する引出収容部が設けられたチェストにおいて、
前記引出収容部の底面に、前記引出を支持するレールを設けたことを特徴とするチェスト。
【請求項２】
前記フレームを合成樹脂で形成するとともに、前記レールを前記底面に一体形成したことを特徴とする請求項１記載のチェスト。
【請求項３】
前記レールを、前記底面に凹設された溝で構成したことを特徴とする請求項１記載のチェスト。
【請求項４】
前記レールを複数並設したことを特徴とする請求項１、２又は３記載のチェスト。
【考案の詳細な説明】
【技術分野】
【０００１】
本考案は、衣類や小物などを収容するチェストに関する。
【背景技術】
【０００２】
従来、衣類や小物などを収納する際には、チェストが用いられていた。
【０００３】
このチェストは、フレームと、該フレームに出し入れ自在に収容される引出とを備えており、前記フレーム及び引出は、樹脂成形されている。前記フレームには、内側へ向けて突出した支持部が設けられており、該支持部によって前記引出を支持できるように構成されている。
【考案の開示】
【考案が解決しようとする課題】
【０００４】
しかしながら、このようなチェストにあっては、引出に収容された収容物の荷重によって支持部が変形することがある。
【０００５】
これにより、引出操作性が悪化する恐れがあった。
【０００６】
本考案は、このような従来の課題に鑑みてなされたものであり、荷重による引出操作性の悪化を防止することができるチェストを提供することを目的とするものである。
【課題を解決するための手段】
【０００７】
前記課題を解決するために本考案の請求項１のチェストにあっては、チェスト本体を構成するフレームに引出を収容する引出収容部が設けられたチェストにおいて、前記引出収容部の底面に、前記引出を支持するレールを設けた。
【０００８】
すなわち、チェスト本体を構成するフレームに収容される引出は、該引出を収容する引出収容部の底面に設けられたレールによって支持される。
【０００９】
このため、前記引出から加えられる荷重は、前記レールを介して前記フレームの底面に分散される。
【００１０】
また、請求項２のチェストにおいては、前記フレームを合成樹脂で形成するとともに、前記レールを前記底面に一体形成した。
【００１１】
これにより、前記レールを別部材で構成する場合と比較して、低コスト化が図られる。
【００１２】
さらに、請求項３のチェストでは、前記レールを、前記底面に凹設された溝で構成した。
【００１３】
これにより、前記底面に前記レールを突出形成する場合と比較して、前記レールを形成する部材のコストが削減される。
【００１４】
また、請求項４のチェストにあっては、前記レールを複数並設した。
【００１５】
これにより、前記レールで支持される前記引出の安定性が高められる。
【考案の効果】
【００１６】
以上説明したように、本考案の請求項１のチェストにあっては、引出に収容された収容物の荷重を、引出収容部の底面に設けられたレールを介して、前記フレームの底面に分散することができる。
【００１７】
このため、フレームより内側へ向けて突出した支持部で引出を支持する構造上、収容物の荷重によって支持部が変形する場合がある従来と比較して、前記荷重によるレールの変形を防止することができ、これにより引出操作性の悪化を防止することができる。
【００１８】
また、請求項２のチェストにおいては、前記フレームを合成樹脂で形成するとともに、前記レールを前記底面に一体形成したため、前記レールを別部材で構成する場合と比較して、低コスト化を図ることができる。
【００１９】
さらに、請求項３のチェストでは、前記レールを、前記底面に凹設された溝で構成したので、前記底面に前記レールを突出形成する場合と比較して、前記レールを形成する為の部材コストを削減することができる。
【００２０】
また、請求項４のチェストにあっては、前記レールを複数並設したため、前記レールで支持される前記引出の安定性を高めることができる。
【考案を実施するための最良の形態】
【００２１】
以下、本考案の一実施の形態を図に従って説明する。図１は、本実施の形態にかかるチェスト１を示す図であり、該チェスト１は、衣類や小物などを収納するものである。
【００２２】
このチェスト１は、図２にも示すように、フレーム１１を形成するチェスト本体１２と、該チェスト本体１２に設けられた矩形容器状の引出１３，１３とによって構成されており、各引出１３，１３は、前記フレーム１１に形成された前面開口状の引出収容部１４，１４に引出自在に収容されている（図１参照）。
【００２３】
前記チェスト本体１２を形成する前記フレーム１１は、上下に連結された二つ合成樹脂製のフレーム構成部材２１，２１によって構成されており、下段のフレーム構成部材２１の下面２２には、キャスター２３，・・・が四隅に設けられている。上段のフレーム構成部材２１には、合成樹脂製の天板２４が設けられており、両フレーム構成部材２１，２１間及び上段のフレーム構成部材２１と前記天板２４間に、合成樹脂製の前記引出１３，１３が引き出し自在に保持されている。
【００２４】
前記フレーム構成部材２１は、図３に示すように、合成樹脂で形成されており、長方形状の底面４１と、該底面４１の両側縁に起立した側面４２，４２と、前記底面４１の後縁に起立した背面４３とによって構成されている。前記底面４１には、前面側から背面４３側へ向けて延在する一対のレール４４，４４が離間して設けられており、各レール４４，４４は、前記底面４１に一体的に凹設された溝で構成されている。
【００２５】
前記各レール４４，４４は、当該底面４１上に構成される前記引出収容部１４に収容された前記引出１３を支持するように構成されており、前記引出１３の下面には、前記各レール４４，４４内を転動する例えばローラが設けられている（図示省略）。これにより、前記引出１３の前記ローラが前記レール４４，４４に沿って転動することにより、前記引出１３のスライドを容易とするとともに、そのスライド方向を案内するように構成されている。
【００２６】
以上の構成にかかる本実施の形態において、前記チェスト本体１２を構成するフレーム１１に収容される引出１３は、該引出１３を収容する引出収容部１４の底面４１に設けられたレール４４，４４によって支持される。
【００２７】
このため、前記引出１３から加えられる荷重を、前記レール４４，４４を介して前記フレーム１１の底面４１に分散することができる。
【００２８】
このため、フレームより内側へ向けて突出した支持部で引出を支持する構造上、収容物の荷重によって支持部が変形する場合がある従来と比較して、前記荷重によるレール４４，４４の変形を防止することができ、これにより引出操作性の悪化を未然に防止することができる。
【００２９】
また、前記フレーム１１を合成樹脂で形成するとともに、前記レール４４，４４を前記底面４１に一体形成したため、前記レール４４，４４を別部材で構成する場合と比較して、低コスト化を図ることができる。
【００３０】
さらに、前記レール４４，４４を、前記底面４１に凹設された溝で構成したので、前記底面４１に前記レール４４，４４を突出形成する場合と比較して、前記レール４４，４４を形成する為の部材コストを削減することができる。
【００３１】
加えて、前記レール４４，４４を二本設けたので、このレール４４，４４で支持される前記引出１３の安定性を高めることができる。
【００３２】
なお、本実施の形態では、前記レール４４，４４内を転動するローラを前記引出１３に設けた場合を例に挙げて説明したが、これに限定されるものではなく、例えば前記レール４４，４４内に移動自在に挿入される凸部を前記引出１３の下面に突設しても良い。
【００３３】
また、本実施の形態では、前記レール４４，４４を前記底面４１に凹設された溝で構成した場合を例に挙げて説明したが、これに限定されるものではなく、例えば前記底面４１に突設された凸条で構成しても良い。
【００３４】
この場合、前記レール４４，４４は、前記底面４１に一体形成しても、前記底面４１に別部材を取り付けて構成しても良い。
【図面の簡単な説明】
【００３５】
【図１】本考案の一実施の形態の正面を示す一部断面図である。
【図２】同実施の形態の側面図である。
【図３】同実施の形態のフレーム構成部材を示す斜視図である。
【符号の説明】
【００３６】
１    チェスト
１１    フレーム
１２    チェスト本体
１３    引出
１４    引出収容部
４１    底面
４４    レール
【図１】
0003124790.tif 000003
【図２】
0003124790.tif 000004
【図３】
0003124790.tif 000005